(57)【要約】【課題】空気調和機の異常発生の原因が外来ノイズ等の場合であれば、サービスマンが室内機の電源を一度遮断した後、再度電源を投入し電源スイッチのＯＮ／ＯＦＦ操作をしなければならなかった。【解決手段】室外機から通信線を介して複数の室内機にもリセット信号を送信し、システム全体のマイコンをリセットすることができ、試運転時の作業性や、異常発生時におけるサービスマンの工事性向上を改善した空気調和機を提供することができる。【選択図】図１
2008267649.tif 000002
【特許請求の範囲】
【請求項１】
マイコンを搭載した室外機と、室外機のマイコンにリセット信号を送信するリセット手段と、室外機と複数の室内機とを接続する通信線とを備え、前記室外機のリセット手段からマイコンにリセット信号を送信し、室外機から通信線を介して前記複数の室内機にもリセット信号を送信し、システム全体のマイコンをリセットすることを特徴とする空気調和機。
【請求項２】
室外機に、複数の室内機と室外機をそれぞれ個別にマイコンをリセットすることを設定できるリセット個別設定手段を備えたことを特徴とする請求項１に記載の空気調和機。
【請求項３】
室外機に、リセット手段の入力時に表示させる表示手段を備えたことを特徴とする請求項１に記載の空気調和機。
【発明の詳細な説明】
【技術分野】
【０００１】
本発明は、空気調和機の異常時の初期化に関する。
【背景技術】
【０００２】
従来、空気調和機に異常が発生した時のリセット方法としては、室内機、室外機を接続する通信線上の外来ノイズにより通信状態が乱れた場合に、給電側である室外機が室内機の電源を一度遮断した後、再度電源を投入することにより、室内機の状態を元に戻すものがあった（例えば、特許文献１参照）。
【０００３】
図４は、特許文献１に記載された従来の構成を示すものである。図４に示すように、室外機１０１，１０２と室内機１０３，１０４と通信線１０５とから構成されている。
【特許文献１】特公平７−６６６４号公報
【発明の開示】
【発明が解決しようとする課題】
【０００４】
しかしながら、前記従来の構成では、異常の発生の原因が外来ノイズ等の場合であれば、サービスマンが電源を一度遮断した後、再度電源を投入し電源スイッチを操作しなければならないという課題を有していた。
【０００５】
本発明は、前記従来の課題を解決するもので、サービスマンが試運転時や異常発生時に操作する室外機からマイコンがリセットすることができ、試運転時の作業性や、異常発生時におけるサービスマンの工事性向上を考慮した空気調和機を提供することを目的とする。
【課題を解決するための手段】
【０００６】
前記従来の課題を解決するために、本発明の空気調和機は、室外機のリセット手段を使用し、マイコンをリセットすることが可能になり、電源を遮断する操作が不要となる。
【０００７】
これによって、試運転時の作業性や、異常発生時におけるサービスマンの工事性向上となる。
【発明の効果】
【０００８】
本発明の空気調和機は、試運転時や、異常発生時に電源を遮断する操作作をしなくて室外機からマイコンをリセットすることができる。
【発明を実施するための最良の形態】
【０００９】
第１の発明は、室外機を制御するマイコンと、室外機のマイコンにリセット信号を送信するリセット手段と、室外機と複数の室内機とを接続する通信線とから構成される空気調和機とすることにより、室外機のリセット手段から、マイコンにリセット信号を送信し、室外機から通信線を介して複数の室内機にもリセット信号を送信し、システム全体のマイコンをリセットすることにより、サービスマンが試運転時や異常発生時に操作する室外機からマイコンがリセットすることができ、試運転時の作業性や、異常発生時におけるサービスマンの工事性向上を図ることができる。
【００１０】
第２の発明は、特に第１の発明のマイコンを搭載した室外機に、複数の室内機、室外機をそれぞれ個別にマイコンをリセットすることを設定できるリセット個別設定手段を備えたことにより、マルチ機種のような室内機が複数接続されたシステムの場合でも、異常が
発生した室内機のみだけ、個別にリセットすることができる。
【００１１】
第３の発明は、特に第１の発明のマイコンを搭載した室外機に、リセット手段の入力時に表示させる表示手段を備えたことにより、リセット手段の入力があった時にマイコンで入力時間をカウントし、リセットするまでの時間を表示させることができ、誤操作の防止をすることができる。
【００１２】
（実施の形態１）
図１は、本発明の実施の形態１における空気調和機の構成ブロック図である。同図の空気調和機のシステムにおいて、室外機のマイコン１と、リセット信号を送信するリセット手段２と、室外機３と、室内機ａ５と、室内機ａ６とを接続する通信線４とから構成されている。
【００１３】
以上のように構成された空気調和機のリモコンについて、以下その動作、作用を説明する。
【００１４】
まず、室外機３に内蔵されたリセット手段２の入力があると、マイコン１へリセット信号が入力される。マイコン１がリセット信号の入力を受信すると、室外機３のマイコン１から、通信線４を介して室内機ａ５、室内機ａ６へリセット信号を送信される。
【００１５】
以上のように、室外機３に内蔵されたリセット手段２の入力があると、室外機３からシステム全体をリセットすることができるので、サービスマンが試運転時や異常発生時に操作する室外機からマイコンがリセットすることができ、試運転時の作業性や、異常発生時におけるサービスマンの工事性向上を図ることができるものである。
【００１６】
（実施の形態２）
図２は、本発明の第２の実施の形態の空気調和機の構成ブロック図である。本発明の第１の実施の形態で示した空気調和機の室外機３にリセット個別設定手段７を構成した空気調和機である。
【００１７】
以上のように構成された空気調和機ついて、以下その動作、作用を説明する。
【００１８】
まず、リセット個別設定手段７でリセットする室内機を選択し、リセット手段２をマイコン1に入力することで、室内機を個別にリセットすることができる。
【００１９】
以上のようにリセット個別設定手段７を備えたことにより、異常が発生していた室内機のみだけ、個別にリセットすることができるものである。
【００２０】
（実施の形態３）
図３は、本発明の第３の実施の形態の空気調和機の構成ブロック図である。本発明の第１の実施の形態で示した空気調和機に表示手段８を構成した空気調和機である。
【００２１】
以上のように構成された空気調和機について、以下その動作、作用を説明する。
【００２２】
まず、リセット手段２をマイコン1に入力する際に、マイコン１がリセット手段２の入力時間をカウントし、リセット開始までの時間表示を表示手段８により表示することができる。
【００２３】
以上のように表示手段８を備えたことにより、サービスマンが誤操作しても、すぐにリセットにはならないので、誤操作防止をすることができるものである。
【産業上の利用可能性】
【００２４】
以上のように、本発明は、試運転時や異常発生時に電源を遮断する操作をしなくても、室外機に内蔵されたリセット手段からシステム全体のマイコンをリセットすることができるので、多室型室内機に適する。
【図面の簡単な説明】
【００２５】
【図１】本発明の実施の形態１における空気調和機の構成ブロック図
【図２】本発明の実施の形態２における空気調和機の構成ブロック図
【図３】本発明の実施の形態３における空気調和機の構成ブロック図
【図４】従来の空気調和機における構成ブロック図
【符号の説明】
【００２６】
１  マイコン
２  リセット手段
３  室外機
４  通信線
５  室内機ａ
６  室内機ｂ
７  リセット個別設定手段
８  表示手段
１０１、１０２  室外機
１０３、１０４  室内機
１０５  通信線
【図１】
2008267649.tif 000003
【図２】
2008267649.tif 000004
【図３】
2008267649.tif 000005
【図４】
2008267649.tif 000006